(57)【特許請求の範囲】
【請求項１】
蓋体と容器本体をそれぞれの後端で開閉自在に枢着し、容器本体内に可撓性を有するチューブ容器類を収納したコンパクト容器において、
容器本体内に前後に隣設する前側収納部と後側収納部とを設け、前側収納部には塗布体を収納すると共に、後側収納部には流動性化粧料が入った可撓性のチューブ容器類を収納し、そのチューブ容器類の注出口を前側収納部側に位置せしめて、前記塗布体に流動性化粧料を注出可能とし、前側収納部には中蓋を前方向にスライド可能に取り付け、中蓋を閉じた際、その後端部に突設した閉止突起がチューブ容器類の注出口を閉塞するように構成し、更に、前記中蓋及び蓋体には、蓋体を閉じた際に互いに係合し且つ前記閉止突起を前記注出口に対して押圧するフック部を設けたことを特徴とするコンパクト容器。
【発明の詳細な説明】
【０００１】
【発明の属する技術分野】
本発明は、液状化粧料やクリーム状化粧料などの流動性化粧料を入れた可撓性の容器、例えばチューブ容器あるいはブローボトルなど（本明細書において単にチューブ容器類と称する）を収納するコンパクト容器に関するもので、より具体的には蓋体と容器本体を開閉自在に枢着し、コンパクト容器を手に持った状態でも、容器本体に収納したチューブ容器類の注出口の開閉を容易かつ確実に行うことができるようにしたコンパクト容器に関するものである。
【０００２】
【従来の技術】
一般に、液状化粧料やクリーム状化粧料などの流動桂化粧料は硝子瓶や可撓性のチューブ容器類に充填され、その硝子瓶や可撓性チューブ容器類はネジキャップなどで気密に封止される。従来のコンパクト容器は、専ら固形または練り状の化粧料を収納するように構成したものがほとんどであり、このような流動性のある化粧料を収納することはなかつた。しかし、クリーム状化粧料を収納した硝子瓶や可撓性チューブ容器を携帯するには、破損しやすい、変形しやすい等の欠点があり、使用時にも化粧具、鏡が別々にあるため、スペースを必要以上にとったり、操作も煩雑となる等、不便なものとなっている。
【０００３】
そこで、従来、コンパクト容器本体の側縁部にこれを中心に１８０゜回動自在に化粧料の受皿部材を取付け、又はコンパクト容器本体の上面に同一平面内で９０゜回動自在に化粧料の受皿部材を取付け、この受皿部材の一側面にクリーム状化粧料入り可撓性チューブ容器の注出口を連結し、受皿部材とチューブ容器の組を一体として回動式にコンパクト容器本体内に出し入れ可能とすると共に、この受皿部材とチューブ容器の組が容器本体内にある時、当該受皿部材下面又は上面に位置する吐出孔が、容器本体側又は蓋体側に突設したシールキヤツプにより、気密に封鎖されるように構成したものが知られている（実公昭５−１３３０９号公報、実公昭５−１３３１０号公報）。
【０００４】
かかるコンパクト容器によれば、クリーム状化粧料はチューブ容器に収納された状態でコンパクト容器に収納されることになるので、従来のコンパクト容器の形状・構成を大幅に変えることなくクリーム状の化粧料を収納することができる。しかも蓋体を閉じることにより、受皿部材の下面又は上面の吐出孔にシールキヤツプが差し込まれて封鎖され、これによりチューブ容器が気密な状態に保持される。また蓋体を閉じることにより、チューブ容器も外部の衝撃から保護され、破損等が生じなくなるため携帯性が向上する。
【０００５】
使用に際しては、チューブ容器および受皿部材の組を回動させて容器本体外に延出させ、そのチューブ容器の胴部を直接手指で押圧して化粧料を受皿部材に吐出させることができるので、化粧料を所望量押し出すことも簡単になる。また化粧料の交換もチューブごと簡単にできるようになる。
【０００６】
【発明が解決しようとする課題】
しかしながら、従来のチューブ容器の密閉構造は、受皿部材とチューブ容器の組が回動式にコンパクト容器本体内に収納され、そのコンパクト容器本体内に位置する受皿部材の下面又は上面の吐出孔に対し、コンパクト容器本体内又は蓋体に設けたシールキヤツプが差し込まれて、吐出孔を封鎖する構造である。
【０００７】
すなわち、チューブ容器の注出口が直接に閉鎖されるのではなく、チューブ容器の注出口が受皿部材に一旦取り付けられた後、その受皿部材の吐出孔に対して気密閉鎖が行われることから、シール部分が２箇所となる。従って、シール部分が１箇所となる簡易な構造が求められる。
【０００８】
また、コンパクト容器本体内に突設したシールキヤツプに、受皿部材の下面の吐出孔が回動しながら、いわば斜め方向から嵌合する構造か、又は蓋体に突設したシールキヤツプがコンパクト容器本体内に位置する受皿部材の上面の吐出孔に回動しながら、いわば斜め方向から嵌合する構造となる。このため、吐出孔とシールキヤツプに高い相対的位置精度が要請されたり、受皿部材や蓋体の回動半径を考えてシールキヤツプの突入量を定めるなどの制約がかかり、直線的にシールキヤツプが閉鎖運動する構造に較べ、本質的に製造し難い構造となる。また、その嵌合部の気密性を維持する耐力も短くなりやすい。
【０００９】
そこで、本発明の目的は、上記課題を解決し、蓋体と容器本体を開閉自在に枢着したコンパクト容器において、容器本体に収納したチューブ容器類の注出口の開閉を容易かつ確実に行うことができるコンパクト容器を提供することにある。
【００１０】
【課題を解決するための手段】
本発明は上記目的を達成するため、蓋体と容器本体をそれぞれの後端で開閉自在に枢着し、容器本体内に可撓性を有するチューブ容器類を収納したコンパクト容器において、容器本体内に前後に隣設する前側収納部と後側収納部とを設け、前側収納部には塗布体を収納すると共に、後側収納部には流動性化粧料が入った可撓性のチューブ容器類を収納し、そのチューブ容器類の注出口を前側収納部側に位置せしめて、前記塗布体に流動性化粧料を注出可能とし、前側収納部には中蓋を前方向にスライド可能に取り付け、中蓋を閉じた際、その後端部に突設した閉止突起がチューブ容器類の注出口を閉塞するように構成し、更に、前記中蓋及び蓋体には、蓋体を閉じた際に互いに係合し且つ前記閉止突起を前記注出口に対して押圧するフック部を設けたことを特徴とする。
【００１１】
本発明においては、前記中蓋を中皿として構成し、中皿の上部に固形化粧料、油取り紙、コットンなどを収納可能にした構成とすることが好ましい。
【００１２】
【発明の実施の形態】
以下に本発明の好適な実施形態について、添附図面を参照しながら説明する。
図１はこの実施形態に係るコンパクト容器の斜視図であり、蓋体を開らき且つ中蓋を引き出した状態を示す。図２はコンパクト容器の蓋体を閉じた状態の断面図、図３は蓋体を開いた状態の平面図、図４は中蓋を引き出した状態の断面図、図５は中蓋を引き出した状態の平面図である。
【００１３】
図１から図３において、コンパクト容器１は前後方向に長く形成された長方形の容器本体２と蓋体３を有し、容器本体２と蓋体３はそれぞれの後端でヒンジたるピン４を介して開閉自在に枢着されている。
【００１４】
容器本体２内には、そのほぼ中央に仕切り壁５が設けられ、これにより前後に隣設して前側収納部６と後側収納部７とが形成されている。このうち、一方の前側収納部６には塗布体としての化粧パフないしスポンジ８が収納される。また、他方の後側収納部７には、クリーム状化粧料や液状化粧料などの流動性化粧料が入った可撓性のチューブ容器類として、ここでは液状ファンデーションの入ったチューブ容器９が横置きに収納される。
【００１５】
チューブ容器９は首部１０と胴部１１よりなり、胴部１１は可撓性に富み、その形状は断面が後部でテーパー状となるやや偏平な筒状であり、容器本体２の後側収納部７に収納した時に、図２の如くこの後側収納部７をほとんど占領し、そのチューブ容器９の外径厚さが後側収納部７と蓋体３とで形づくられる収容空間の深さとほぼ等しくなるように、寸法決定されている。また首部１０は胴部１１の前端に突出してなり、先端には注出口１２（図５参照）が開口され、外周には仕切り壁５に設けたＵ字状の取付口１３に螺合可能な嵌合溝部１０ａが形成されている。そして、チューブ容器９の首部１０は、その嵌合溝部１０ａが、仕切り壁５に設けたＵ字状の取付口１３内に上方から嵌合されて、その注出口１２が前側収納部６の側に位置せしめられており、これによりチューブ容器９を押圧してスポンジ８に流動性化粧料を注出可能となっている。
【００１６】
上記スポンジ８の収納された前側収納部６の上部には、前方向にスライド可能に中蓋１４が取り付けられている。この中蓋１４のスライド機構を構成するため、前側収納部６の側部内面にはガイド溝１５が形成され、また中蓋１４の側縁部には上記ガイド溝１５に嵌合する段差を持った凸条部１６が形成されている。
【００１７】
上記構成に加え、中蓋１４の後端部１７には、図２、図５に示すように、上記チューブ容器９の栓体として、少し先細状に形成した閉止突起１８が突設されており、中蓋１４を閉じた際、当該閉止突起１８がチューブ容器９の注出口１２内に突入して、当該注出口１２を閉塞するようになっている。
【００１８】
更にまた、上記中蓋及び蓋体３には、蓋体３を閉じた際に互いに係合すると共に、上記閉止突起１８をチューブ容器９の注出口１２に対して押圧する作用を営むフック部２０、２１が設けられている。すなわち、上記中蓋１４には、その前部上面に前側に起立壁１９が設けられ、その起立壁中央部に外向きに係止爪が突出したフック部２０が形成されている。また、蓋体３には、その前側縁部の内側面中央に突起からなるフック部２１が形成されている。そして、中蓋１４を閉じ且つ蓋体３を閉じた際には、図３に示すように、チューブ容器９の注出口１２を閉塞する位置にある中蓋１４を、図２に示すように、容器本体２と蓋体３とで上下から挟み込み、フック部２０、２１が係合して、容器本体２と蓋体３が一体化されるようになっている。その際、蓋体３は中蓋１４と嵌合されるだけであるが、蓋体３は、容器本体２のガイド溝１５と中蓋１４の凸条部１６とを係合させたスライド機構を介して容器本体２と結合されるため、蓋体３と中蓋１４が一体的に容器本体２側から開放されてしまうことはない。
【００１９】
ここでフック部２０、２１の作用について説明するに、中蓋１４を閉じ且つ蓋体３を閉じた際には、図２に示すように、フック部２０の突起はフック部２１の係止爪を乗り越えて、その係止爪の下側位置まで移動してロック状態となり、その移動過程において、閉じ位置にある中蓋１４に、更にチューブ容器９側に接近する方向の押圧力を付与する。このため、中蓋１４の後端部閉止突起を確実にチューブ容器９の注出口１２内に突入させ、当該注出口１２をしっかりと閉塞する。
【００２０】
上記フック部２０、２１の係合を解くことを可能とするため、中蓋１４の前側縁部は、閉じられたコンパクト容器１の前側面よりも少し突出しており、その突出部が両フック部の係合を解くためのプッシュ操作部２２として作用するようになっている。またこのプッシュ操作部２２をチューブ容器９の方向に押圧することを可能とするため、図３に示すように、中蓋１４の後端部１７にはスライド方向と直交する方向にスリット２３が形成され、これにより中蓋１４の後端部１７が弾性的に変化し得るように構成されている。このため、中蓋１４のプッシュ操作部２２をチューブ容器９の方向に押圧することによって、上記フック部２０、２１の係合を解除し、蓋体３を解放することができる。
【００２１】
上記中蓋１４はその上面の面積のほとんどが中皿２４として構成されており、その中皿２４の上部に固形化粧料、油取り紙、コットンなどを収納可能になっている。換言すれば、前側収納部６は、中皿２４の上部に固形化粧料、油取り紙、コットンなどを収納し、下部にはスポンジ８などの化粧具を収納する構成となっている。なお蓋体３には、その内面に鏡２５が接着されている。
【００２２】
このように構成されたコンパクト容器１は、その容器本体２の後側収納部７にチューブ容器９を収納し、また化粧パフないしスポンジ８を前側収納部６に収納し、蓋体３を閉じると図２に示すような閉止位置を占め、蓋体３を解放すると図３のような状態となる。なお、蓋体３が図２に示す閉止状態にある時、チューブ容器９の注出口１２は、中蓋１４の後端部１７に設けた閉止突起１８により気密に封鎖されている。
【００２３】
このコンパクト容器１は、次に述べるように、膝の上などに置くことなく、片手に持ったまま簡易に使用することができる。
【００２４】
すなわち、使用に際しては、コンパクト容器１を例えば左手に持ち、図２に示すような閉止状態からプッシュ操作部２２を左手の指で押圧して、フック部２０とフック部２１の係合を解除して蓋体３を図３に示すように開放し、更に中蓋１４を右手で図４、図５に示すように前側にスライドさせて引き出し、図１の如く前側収納部６内のスポンジ８を露出させる。この時、チューブ容器９の胴部１１を右手の指で押圧すると、チューブ容器９内の液状ファンデーションが前側収納部６内のスポンジ８上面に吐出されるので、この化粧料をスポンジ８に付着させて用いるようにする。
【００２５】
使用後は右手で中蓋１４を上記と逆に後側へスライドさせて容器本体２の前側収納部６を閉じる。この中蓋１４を閉じた際、中蓋１４の後端部１７の閉止突起１８がチューブ容器９の注出口１２内に突入して、図３の如く当該注出口１２を軽く閉塞する。
【００２６】
次いで、この上に右手で蓋体３を閉じ、フック部２０、２１を係合させる。ここで蓋体３のフック部２０は、図２に示すように、フック部２１を乗り越えてその下側に移動し、中蓋１４を押してチューブ容器９側に接近させる。このため、中蓋１４の後端部１７の閉止突起１８はチューブ容器９の注出口１２に押し付けられ、注出口１２をしっかりと閉塞する。なお、容器本体２と蓋体３の一体化は、容器本体２と中蓋１４のスライド機構を介して行われるため、容器本体２側に対して蓋体３と中蓋１４が一体的に開放動作してしまうことはない。
【００２７】
上記チューブ容器９はその首部１０を取付口１３に嵌合して取り付けているだけであるので、簡単に交換して使用することができる。
【００２８】
上記実施形態では、中蓋１４の閉止突起１８によりチューブ容器９の注出口１２を閉塞する押圧機構としてのフック部２０、２１を、蓋体３を容器本体２と一体的に係合させる鎖錠機構と兼用する形で設けたが、この押圧機構用のフック部２０、２１は、中蓋１４と蓋体３とを掛け止める鎖錠機構とは別に設けることもできる。
【００２９】
【発明の効果】
以上説明したように本発明によれば、容器本体内の前後に隣設する前側収納部と後側収納部に塗布体と可撓性チューブ容器類とを収納し、そのチューブ容器類の注出口を前側収納部側に位置せしめて流動性化粧料を注出可能とし、前側収納部には中蓋を前方向にスライド可能に取り付け、中蓋を閉じた際、その後端部に突設した閉止突起がチューブ容器類の注出口を閉塞するように構成し、更に、前記中蓋及び蓋体には、蓋体を閉じた際に互いに係合し且つ閉止突起を注出口に対して押圧するフック部を設けたので、可撓性チューブ容器類の収納、塗布体を露出させるために行う中蓋の開閉操作、露出した塗布体へクリーム状化粧料や液状化粧料等を注出するチューブ容器類の押圧操作、注出後のチューブ容器類の注出口を気密に閉鎖する操作、蓋体の閉成操作などが、極めて容易にかつ確実に行うことができる。従って、コンパクト容器を膝やテーブルの上に置くことなく、片手に持ったまま操作して使用することができる。
【００３０】
特に、チューブ容器類の注出口を気密に閉鎖することを目的とする閉止突起の押圧作用は、蓋体を閉じた際に互いに係合し且つ閉止突起を注出口に対して押圧するフック部により行わせるため、蓋体を閉じた際に自動的且つ確実に営ませることができる。
【図面の簡単な説明】
【図１】本発明の実施形態に係るコンパクト容器の斜視図である。
【図２】本発明のコンパクト容器の蓋体を閉じた状態の断面図である。
【図３】本発明のコンパクト容器の蓋体を開いた状態の平面図である。
【図４】本発明のコンパクト容器の中蓋を引き出した状態の断面図である。
【図５】本発明のコンパクト容器の中蓋を引き出した状態の平面図である。
【符号の説明】
１    コンパクト容器              ２    容器本体
３    蓋体                        ４    ピン
５    仕切り壁                    ６    前側収納部
７    後側収納部                  ８    スポンジ
９    チューブ容器              １０    首部
１１    胴部                      １２    注出口
１３    取付口                    １４    中蓋
１５    ガイド溝                  １６    凸条部
１７    後端部                    １８    閉止突起
１９    起立壁                    ２０    フック部
２１    フック部                  ２２    プッシュ操作部
２３    スリット                  ２４    中皿
２５    鏡
【図１】
0004717258.tif 000002
【図２】
0004717258.tif 000003
【図３】
0004717258.tif 000004
【図４】
0004717258.tif 000005
【図５】
0004717258.tif 000006